(57)【要約】 【課題】  コンテンツの再生可能な場所などを制限することができる情報処理装置および情報処理プログラムを提供することである。【解決手段】  コンテンツを再生するためのキー情報を受信する受信部３と、受信部３で受信したキー情報がコンテンツの再生条件を満足するか否かを判定する再生条件判定部２０１とを備え、再生条件判定部２０１での判定結果が、コンテンツの再生条件を満足する場合は、予め設定された時間、コンテンツを再生可能とにより情報処理装置を構成する。【選択図】      図２
2007081969.tif 000002
【特許請求の範囲】
【請求項１】
コンテンツを再生するためのキー情報を受信する受信部と、
前記受信部で受信したキー情報がコンテンツの再生条件を満足するか否かを判定する再生条件判定部とを備え、
前記再生条件判定部での判定結果が、コンテンツの再生条件を満足する場合は、予め設定された時間、コンテンツを再生可能とすることを特徴とする情報処理装置。
【請求項２】
コンテンツを再生するためのキー情報を送信要求する送信部を備えたことを特徴とする請求項１に記載の情報処理装置。
【請求項３】
暗号化されたコンテンツを復号化するための復号鍵を受信する受信部と、
前記受信部で受信した復号鍵により、暗号化されたコンテンツを復号化する復号部を備え、
前記復号部で暗号化されたコンテンツを復号化する場合は、予め設定された時間、コンテンツを再生可能とすることを特徴とする情報処理装置。
【請求項４】
コンテンツを再生するための復号鍵を送信要求する送信部を備えたことを特徴とする請求項３に記載の情報処理装置。
【請求項５】
前記受信部で受信した信号に含まれる現在時刻情報と、コンテンツに含まれる再生許可時間情報とを比較し、コンテンツの再生が許可される時間であるか否かを判定する時刻情報判定部を備え、
前記時刻情報判定部での判定結果に基づいて、コンテンツを再生可能とすることを特徴とする請求項１から４のいずれかに記載の情報処理装置。
【請求項６】
利用者の識別情報を入力する認証入力部と、
前記認証入力部で入力された利用者の識別情報と登録されている識別情報とを比較し利用者の機密レベルを認証する認証部と、
前記受信部で受信した信号に含まれるパスワード情報から前記認証部で認証された機密レベルに応じたパスワードを取り込んで、機密レベルに応じてコンテンツに対し設定されたパスワードと比較してコンテンツの再生が可能であるか否かを判定するアクセス権判定部とを備え、
前記アクセス権判定部での判定結果に基づいて、コンテンツを再生可能とすることを特徴とする請求項１から５のいずれかに記載の情報処理装置。
【請求項７】
前記受信部が光信号を受信することを特徴とする請求項１から６のいずれかに記載の情報処理装置。
【請求項８】
コンテンツを再生する情報処理装置で実行されるプログラムにおいて、
コンテンツを再生するためのキー情報を受信するステップと、
受信した情報がコンテンツの再生条件を満足するか否かを判定する判定ステップと、
その判定した結果がコンテンツの再生条件を満足する場合は、
上記キー情報の受信状態に応じてコンテンツを再生可能とするステップを備えたことを特徴とする情報処理プログラム。
【発明の詳細な説明】
【技術分野】
【０００１】
本発明は、コンテンツを再生する情報処理装置および情報処理プログラムに関する。
【背景技術】
【０００２】
従来、アクセス制限付きのコンテンツをパーソナルコンピュータ（以下では「ＰＣ」と略称する。）などの情報処理装置で再生を行う場合、コンテンツの一部または全部を暗号化し、利用者がコンテンツを再生させる際に、パスワード等の復号鍵を入力したり、利用者の権限等が格納されているサーバに、再生許可の通信を行ない、サーバから復号鍵を取得したりすることによって、暗号化されたコンテンツを復号化する方法を用いている。
【０００３】
これらの復号鍵に付随する情報や、サーバでの判定によって、復号鍵の種類を変更し、これによって、正当な利用者に対しては、コンテンツを再生し、不当な利用者に対しては、コンテンツの再生を規制することができる。
【０００４】
また、人の生活空間で最も普及している発光手段は、照明装置である。照明装置は人々の生活の中で欠かせない存在であり昼夜を問わずいたるところに設置されている。この照明という発光手段を通信装置として利用することができる。
【０００５】
特許文献１記載の技術は、照明という発光手段を活用した通信システム及び通信照明装置に関するものであり、照明用の第１の光源と、通信用の第２の光源を備え、第２の光源により情報端末と通信を行うことを特徴とする。
【０００６】
【特許文献１】特開２００４−３１２３９３号公報
【発明の開示】
【発明が解決しようとする課題】
【０００７】
上記従来例では、暗号化されたコンテンツを再生する場合、利用者がパスワードや復号鍵を入力したり、サーバから復号鍵を取得したりすることによって、利用者の復号処理を制御しているため、特定の場所で、コンテンツの再生を許可することは困難である。
【０００８】
つまり、コンテンツが格納されている情報処理装置で、コンテンツを再生する為には、利用者がパスワードや復号鍵を入力することにより再生を行えるため、コンテンツ情報の提供者側の意図した場所や、時間に関わりなく再生することができるという問題がある。
【０００９】
また、特許文献１には、従来から照明装置が存在する空間を受信空間とする程度のことしか記載されていない。したがって、例えば特定の部屋だけでコンテンツを再生可能にするなど、コンテンツ情報の提供者側の意図する制約条件を充分に満足させることはできない。
【００１０】
本発明の目的は、コンテンツの再生可能な時間、場所などを制限することができる情報処理装置および情報処理プログラムを提供することである。
【課題を解決するための手段】
【００１１】
本発明は、コンテンツを再生するためのキー情報を受信する受信部と、
前記受信部で受信したキー情報がコンテンツの再生条件を満足するか否かを判定する再生条件判定部とを備え、
前記再生条件判定部での判定結果が、コンテンツの再生条件を満足する場合は、予め設定された時間、コンテンツを再生可能とすることを特徴とする情報処理装置である。
【００１２】
本発明の情報処理装置によれば、受信部で受信したキー情報について判定した結果に基づいて、コンテンツを再生可能とすることできるが、その再生時間を制限することが可能である。したがって、例えば、一旦コンテンツ再生可能となっていても、キー情報が到達しない空間に移動すると、設定時間を超えれば、コンテンツの再生を停止して再生不可能な状態とすることができる。このようにして、コンテンツの再生可能な空間を制限することができる。また、設定時間を超えてから、受信部で受信した信号に条件を満足するキー情報が含まれなければ、又は受信部でキー情報を受信できなければ、コンテンツの再生を途中で停止することになり、コンテンツの再生を容易に制限できる。
【００１３】
また本発明は、コンテンツを再生するためのキー情報を送信要求する送信部を備えたことを特徴とする。
【００１４】
本発明によれば、送信部からの要求により、任意のタイミングでコンテンツ再生をスタートできる。また、コンテンツ再生中には、予め設定された再生時間が終了する前に、送信部からの要求により、連続してコンテンツ再生が可能となる。ここで、受信側では不必要に受信待機状態を維持することによる負担を低減したり、送信側では不必要な信号の送信を避けるようにもできる。
【００１５】
また本発明は、暗号化されたコンテンツを復号化するための復号鍵を受信する受信部と、
前記受信部で受信した復号鍵により、暗号化されたコンテンツを復号化する復号部を備え、
前記復号部で暗号化されたコンテンツを復号化する場合は、予め設定された時間、コンテンツを再生可能とすることを特徴とする情報処理装置である。
【００１６】
本発明の情報処理装置によれば、受信部で受信した復号鍵により、暗号化されたコンテンツを複合化して再生可能とすることできるが、その再生時間を制限することが可能である。したがって、例えば、一旦コンテンツ再生可能となっていても、復号鍵が到達しない空間に移動すると、設定時間を超えれば、コンテンツの再生を停止して再生不可能な状態とすることができる。このようにして、コンテンツの再生可能な空間を制限することができる。また、設定時間を超えてから、受信部で受信した信号に正常に複合化できる復号鍵が含まられなければ、又は受信部で復号鍵を受信できなければ、コンテンツの再生を途中で停止することになり、コンテンツの再生を容易に制限できる。
【００１７】
また本発明は、コンテンツを再生するための復号鍵を送信要求する送信部を備えたことを特徴とする。
【００１８】
本発明によれば、送信部からの要求により、任意のタイミングでコンテンツ再生をスタートできる。また、コンテンツ再生中には、予め設定された再生時間が終了する前に、送信部からの要求により、連続してコンテンツ再生が可能となる。ここで、受信側では不必要に受信待機状態を維持することによる負担を低減したり、送信側では不必要な信号の送信を避けるようにすることもできる。
【００１９】
また本発明は、前記受信部で受信した信号に含まれる現在時刻情報と、コンテンツに含まれる再生許可時間情報とを比較し、コンテンツの再生が許可される時間であるか否かを判定する時刻情報判定部を備え、
前記時刻情報判定部での判定結果に基づいて、コンテンツを再生可能とすることを特徴とする。
【００２０】
本発明によれば、コンテンツに含まれる再生許可時間情報を現在時刻情報と時刻情報判定部で比較判定することにより、許可された時間帯だけをコンテンツ再生可能にするなど、コンテンツ再生可能な時間を容易に制限することができる。
【００２１】
また本発明は、利用者の識別情報を入力する認証入力部と、
前記認証入力部で入力された利用者の識別情報と登録されている識別情報とを比較し利用者の機密レベルを認証する認証部と、
前記受信部で受信した信号に含まれるパスワード情報から前記認証部で認証された機密レベルに応じたパスワードを取り込んで、機密レベルに応じてコンテンツに対し設定されたパスワードと比較してコンテンツの再生が可能であるか否かを判定するアクセス権判定部とを備え、
前記アクセス権判定部での判定結果に基づいて、コンテンツを再生可能とすることを特徴とする。
【００２２】
本発明によれば、利用者に応じた機密レベルで、再生可能なコンテンツを制限することができる。
【００２３】
また本発明は、前記受信部が光信号を受信することを特徴とする。
本発明によれば、光信号を受信することにより、コンテンツを再生可能とすることができる。したがって、既存の照明などを利用し、この照明から光信号を受けることができる空間でのみコンテンツを再生可能にすることができる。光信号であれば、ガラス窓のない部屋など、光を遮断できれば受信場所を制限できるので、コンテンツが再生可能な空間を容易に制限することができる。
【００２４】
また本発明は、コンテンツを再生する情報処理装置で実行されるプログラムにおいて、
コンテンツを再生するためのキー情報を受信するステップと、
受信した情報がコンテンツの再生条件を満足するか否かを判定する判定ステップと、
その判定した結果がコンテンツの再生条件を満足する場合は、
上記キー情報の受信状態に応じてコンテンツを再生可能とするステップを備えたことを特徴とする情報処理プログラムである。
【００２５】
本発明の情報処理プログラムによれば、受信したキー情報について判定した結果に基づいて、コンテンツを再生可能とすることできるが、その再生時間を制限することが可能である。したがって、例えば、一旦コンテンツ再生可能となっていても、キー情報を含む信号が到達しない空間に装置が移動すると、設定時間を超えれば、コンテンツの再生を停止して装置を再生不可能な状態とすることができる。このようにして、コンテンツの再生可能な空間を制限することができる。また、設定時間を超えてから、受信した信号に条件を満足するキー情報が含まられなければ、又はキー情報を含む信号を受信できなければ、コンテンツの再生を途中で停止することになり、コンテンツの再生を容易に制限できる。
【発明の効果】
【００２６】
本発明によれば、受信した再生条件情報について判定した結果に基づいて、または受信した復号鍵による復号化に基づいて、コンテンツを再生可能とすることできるが、その再生時間を制限することが可能である。したがって、例えば、一旦コンテンツ再生可能となっていても、キー情報又は復号鍵を含む信号が到達しない空間に装置が移動すると、設定時間を超えれば、コンテンツの再生を停止して装置を再生不可能な状態とすることができる。このようにして、コンテンツの再生可能な空間を制限することができる。また、設定時間を超えてから、受信した信号に条件を満足するキー情報もしくは復号鍵が含まられなければ、又はキー情報もしくは復号鍵を含む信号を受信できなければ、コンテンツの再生を途中で停止することになり、コンテンツの再生を容易に制限できる。
【発明を実施するための最良の形態】
【００２７】
以下、本発明を実施するための最良の形態について、図面を参照して説明する。なお、以下ではノート型ＰＣを情報処理装置の例として説明する。
【００２８】
図１は本発明の第１の実施形態の概略構成を示す図である。図２は、図１の構成を機能的に示すブロック図である。
【００２９】
照明通信装置１は、明かりを得ることを目的とする照明装置として機能すると共に、デジタル信号を点滅して光信号に変換して送信する機能及び、光信号を受信しデジタル信号に変換する機能をも兼ね備える。
【００３０】
情報処理装置２は、光通信部３、認証入力部４、ＣＰＵ（中央演算処理装置）２０１、表示部２０２、音声出力部２０３、メモリ２０４、ハードディスクドライブ（ＨＤＤ）２０５、入力部２０６、ＬＡＮ  Ｉ／Ｆ（Local Area Network Interface）２０７から構成される。
【００３１】
光通信部３は、受光した光信号をデジタル信号に変換する機能と、デジタル信号を光信号に変換して送信する機能を兼ね備える。
【００３２】
認証入力部４は、利用者の指紋、掌紋、声紋、網膜パターンや、筆跡などを入力するための入力装置である。
【００３３】
ＣＰＵ２０１は、受信部３からの情報によりコンテンツを再生するための再生条件判定部、光通信部３で受信した復号鍵によって、暗号化されたコンテンツを復号化する復号部、光通信部３で受信した現在時刻情報によりコンテンツを再生するための時刻情報判定部、認証入力部４からの情報によって利用者の識別情報の認証部、識別情報によりコンテンツを再生するためのアクセス権判定部などとして機能し、また装置全体の制御を行う制御手段としても機能するものである。
【００３４】
表示部（画像出力部）２０２はコンテンツを表示するＬＣＤディスプレイなどの表示手段（画像出力手段）である。音出力部２０３はコンテンツの音を出力するスピーカなどの音出力手段である。これら、表示部２０２、音出力部２０３にコンテンツを出力することにより、コンテンツの再生が行われる。なお、ここでは、情報処理装置２として表示部２０２及び音出力部２０３を備えたノート型ＰＣの構成で説明するが、本発明はこれに限定されるものではなく、出力端子を介して表示部２０２及び音出力部２０３を外部に接続するような構成にも適用可能である。
【００３５】
メモリ２０４は、再生条件判定に関するデータや復号化したコンテンツなどを記憶する。ＨＤＤ２０５は、再生処理プログラム、再生条件判定に関するデータや暗号化されたコンテンツ、利用者全ての識別情報などが格納されている。入力部２０６は利用者がパスワードなどの識別情報を入力するキーボードなどの入力手段である。ＬＡＮ  Ｉ／Ｆ２０７は図示されていないサーバとの間でデータ通信を行ったり、インターネットなど他のネットワークに接続したりするためのインターフェイスである。
【００３６】
なお、図１，２を用いて説明した構成は、後述の第２〜６の実施形態においても共通するものである。
【００３７】
図３は、第１の実施形態におけるコンテンツ処理を示すフローチャートである。
まずステップＳ３０１では、利用者が入力部２０６を用いて再生を行うコンテンツを選択する。ステップＳ３０２では、ステップＳ３０１で選択したコンテンツを再生するための再生条件がコンテンツを記憶するメモリ２０４又はＨＤＤ２０５にあるかどうかをＣＰＵ２０１で判断する。再生条件があるコンテンツであればステップＳ３０４へ進み、再生条件がなければステップＳ３０３へ進む。ステップＳ３０３では、コンテンツを再生するための条件が設定されていないため、コンテンツを再生可能とする。ステップＳ３０４では、光通信部３によって光信号を受信したかをＣＰＵ２０１で判定する。光信号を受信すればステップＳ３０５へ進み、光信号を受信できなければステップＳ３０４へ戻る。
【００３８】
ステップＳ３０５では、ステップＳ３０４で受信したキー情報と、予めコンテンツに設定されているパスワードなどの再生条件を再生条件判定部（ＣＰＵ２０１）で判断する。再生条件を満たしていると判定されると、ステップＳ３０６に進む。再生条件を満たしていないと判断されればステップＳ３０４へ戻る。ステップＳ３０６では、コンテンツを再生可能にし、ステップＳ３０７へ進む。
【００３９】
ステップＳ３０７では、再生可能な時間をカウントするためのカウンター（図示なし）の値をＣＰＵ２０１がクリアし、ステップＳ３０８へ進む。ステップＳ３０８では、光通信部３によって光信号を受信したかをＣＰＵ２０１で判定する。光信号を受信すればステップＳ３０９へ進み、光信号を受信できなければステップＳ３１０へ進む。ステップＳ３０９では、ステップＳ３０８で受信したキー情報と、予めコンテンツに設定されているパスワードなどの再生条件を再生条件判定部で判断する。再生条件を満たしていると判定されると、ステップＳ３０６に進む。再生条件を満たしていないと判断されればステップＳ３１０へ進む。ステップＳ３１０では、再生可能な時間をカウントするためのカウンターの値をＣＰＵ２０１がカウントアップし、ステップＳ３１１へ進む。ステップＳ３１１では、再生可能な時間をカウントするためのカウンターの値と予め設定しているコンテンツの再生可能時間をＣＰＵ２０１で比較し、カウンター値が再生可能時間を超えていればステップＳ３１２へ進み、カウンター値が再生可能時間を超えていなければステップＳ３０８へ戻る。ステップＳ３１２では、コンテンツの再生を停止し、ステップＳ３０７へ進む。
【００４０】
図４は、第２の実施形態におけるコンテンツ処理を示すフローチャートである。
まずステップＳ４０１では、利用者が入力部２０６を用いて再生を行うコンテンツを選択する。ステップＳ４０２では、ステップＳ４０１で選択したコンテンツを再生するための再生条件がコンテンツを記憶するメモリ２０４又はＨＤＤ２０５にあるかどうかをＣＰＵ２０１で判断する。再生条件があるコンテンツであればステップＳ４０４へ進み、再生条件がなければステップＳ４０３へ進む。ステップＳ４０３では、コンテンツを再生するための条件が設定されていないため、コンテンツを再生可能とする。ステップＳ４０４では、ＣＰＵ２０１の指令により、光通信部３もしくは、ＬＡＮ  Ｉ／Ｆ２０７からキー情報を要求する信号を送信し、ステップＳ４０５へ進む。ステップＳ４０５では、再生可能な時間をカウントするためのカウンター（図示なし）の値をＣＰＵ２０１がクリアし、ステップＳ４０６へ進む。
【００４１】
ステップＳ４０６では、光通信部３によって光信号を受信したかをＣＰＵ２０１で判定する。光信号を受信すればステップＳ４０７へ進み、光信号を受信できなければステップＳ４０８へ進む。ステップＳ４０７では、ステップＳ４０６で受信したキー情報と、予めコンテンツに設定されているパスワードなどの再生条件を再生条件判定部（ＣＰＵ２０１）で判断する。再生条件を満たしていると判定されると、ステップＳ４０９に進む。再生条件を満たしていないと判断されればステップＳ４０８へ進む。ステップＳ４０９では、コンテンツを再生可能にし、ステップＳ４０４へ戻る。
【００４２】
ステップＳ４０８では、再生可能な時間をカウントするためのカウンターの値をＣＰＵ２０１がカウントアップし、ステップＳ４１０へ進む。ステップＳ４１０では、再生可能な時間をカウントするためのカウンターの値と予め設定しているコンテンツの再生可能時間をＣＰＵ２０１で比較し、カウンター値が再生可能時間を超えていればステップＳ４１１へ進み、カウンター値が再生可能時間を超えていなければステップＳ４０６へ戻る。ステップＳ４１１では、コンテンツの再生を停止し、ステップＳ４０４へ戻る。
【００４３】
図５は、第３の実施形態におけるコンテンツ処理を示すフローチャートである。
まずステップＳ５０１では、利用者が入力部２０６を用いて再生を行うコンテンツを選択する。ステップＳ５０２では、ステップＳ５０１で選択したコンテンツは暗号化されているコンテンツかどうかをＣＰＵ２０１で判断する。暗号化されているコンテンツであればステップＳ５０４へ進み、暗号化されていなければステップＳ５０３へ進む。ステップＳ５０３では、コンテンツは暗号化されていないため、コンテンツを再生可能とする。ステップＳ５０４では、光通信部３によって光信号を受信したかをＣＰＵ２０１で判定する。光信号を受信すればステップＳ５０５へ進み、光信号を受信できなければステップＳ５０４へ戻る。
【００４４】
ステップＳ５０５では、ステップＳ５０４で受信した情報に含まれる復号鍵により、暗号化されたコンテンツを復号部（ＣＰＵ２０１）で復号化し、復号化できると判定されると、ステップＳ５０６に進む。復号ができなければステップＳ５０４へ戻る。ステップＳ５０６では、コンテンツを再生可能にし、ステップＳ５０７へ進む。
【００４５】
ステップＳ５０７では、再生可能な時間をカウントするためのカウンター（図示なし）の値をＣＰＵ２０１がクリアし、ステップＳ５０８へ進む。ステップＳ５０８では、光通信部３によって光信号を受信したかをＣＰＵ２０１で判定する。光信号を受信すればステップＳ５０９へ進み、光信号を受信できなければステップＳ５１０へ進む。ステップＳ５０９では、ステップＳ５０４で受信した情報に含まれる復号鍵により、暗号化されたコンテンツを復号部で復号化し、復号化できると判定されると、ステップＳ５０６に進む。復号ができなければステップＳ５１０へ進む。ステップＳ５１０では、再生可能な時間をカウントするためのカウンターの値をＣＰＵ２０１がカウントアップし、ステップＳ５１１へ進む。ステップＳ５１１では、再生可能な時間をカウントするためのカウンターの値と予め設定しているコンテンツの再生可能時間をＣＰＵ２０１で比較し、カウンター値が再生可能時間を超えていればステップＳ５１２へ進み、カウンター値が再生可能時間を超えていなければステップＳ５０８へ戻る。ステップＳ５１２では、コンテンツの再生を停止し、ステップＳ５０７へ戻る。
【００４６】
図６は、第４の実施形態におけるコンテンツ処理を示すフローチャートである。
まずステップＳ６０１では、利用者が入力部２０６を用いて再生を行うコンテンツを選択する。ステップＳ６０２では、ステップＳ６０１で選択したコンテンツは暗号化されたコンテンツかどうかをＣＰＵ２０１で判断する。暗号化されているコンテンツであればステップＳ６０４へ進み、暗号化されていなければステップＳ６０３へ進む。ステップＳ６０３では、コンテンツは暗号化されていないため、コンテンツを再生可能とする。ステップＳ６０４では、ＣＰＵ２０１の指令により、光通信部３もしくは、ＬＡＮ  Ｉ／Ｆ２０７から復号鍵を要求する信号を送信し、ステップＳ６０５へ進む。ステップＳ６０５では、再生可能な時間をカウントするためのカウンター（図示なし）の値をＣＰＵ２０１がクリアし、ステップＳ６０６へ進む。
【００４７】
ステップＳ６０６では、光通信部３によって光信号を受信したかをＣＰＵ２０１で判定する。光信号を受信すればステップＳ６０７へ進み、光信号を受信できなければステップＳ６０８へ進む。ステップＳ６０７では、ステップＳ６０６で受信した情報に含まれる復号鍵により、暗号化されたコンテンツを復号部（ＣＰＵ２０１）で復号化し、復号化できると判定されると、ステップＳ６０９に進む。復号ができなければステップＳ６０８へ進む。ステップＳ６０９では、コンテンツを再生可能にし、ステップＳ６０４へ進む。
【００４８】
ステップＳ６０８では、再生可能な時間をカウントするためのカウンターの値をＣＰＵ２０１がカウントアップし、ステップＳ６１０へ進む。ステップＳ６１０では、再生可能な時間をカウントするためのカウンターの値と予め設定しているコンテンツの再生可能時間をＣＰＵ２０１で比較し、カウンター値が再生可能時間を超えていればステップＳ６１１へ進み、カウンター値が再生可能時間を超えていなければステップＳ６０６へ戻る。ステップＳ６１１では、コンテンツの再生を停止し、ステップＳ６０４へ戻る。
【００４９】
次に本実施形態の具体例について説明する。
具体例１で再生するコンテンツは、機密レベル情報および再生許可時間情報は含まれていない再生条件を持つコンテンツの具体例である。
【００５０】
図７の例１は、光信号からの情報には、機密レベル情報および現在時刻情報は含まれていない。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００５１】
９：００迄は、光信号の情報は送信されていないため、利用者Ａ、Ｂ、Ｃ共にコンテンツを再生することはできない。
【００５２】
９：００から１６：００迄は、光信号の情報は機密レベル情報および現在時刻情報を含まないキー情報が送信されている。コンテンツは機密レベル情報および再生許可時間情報は含まれていない。コンテンツの再生条件には機密レベル情報および再生許可時間情報は必要ないため、コンテンツを再生する時間および、利用者の機密レベルに係わらず、利用者Ａ、Ｂ、Ｃ共にコンテンツを再生することができる。
【００５３】
１６：００以降は、光信号の情報は送信されていないため、利用者Ａ、Ｂ、Ｃ共にコンテンツを再生することはできない。
【００５４】
図７の例２は、光信号からの情報には、機密レベル情報は含まれてなく、現在時刻情報は含まれている。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００５５】
９：００迄は、光信号の情報は送信されていないため、利用者Ａ、Ｂ、Ｃ共にコンテンツを再生することはできない。
【００５６】
９：００から１６：００迄は、光信号の情報は現在時刻情報を含んだキー情報が送信されている。コンテンツには機密レベル情報および再生許可時間情報は含まれていない。コンテンツは機密レベル情報および再生許可時間情報は含まれていない。コンテンツの再生条件には機密レベル情報および再生許可時間情報は必要ないため、コンテンツを再生する時間および、利用者の機密レベルに係わらず、利用者Ａ、Ｂ、Ｃ共にコンテンツを再生することができる。
【００５７】
１６：００以降は、光信号の情報は送信されていないため、利用者Ａ、Ｂ、Ｃ共にコンテンツを再生することはできない。
【００５８】
図７の例３は、光信号からの情報には、機密レベル２および３のパスワードが含まれており、現在時刻情報は含まれていない。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００５９】
９：００迄は、光信号の情報は送信されていないため、利用者Ａ、Ｂ、Ｃ共にコンテンツを再生することはできない。
【００６０】
９：００から１６：００迄は、光信号の情報は機密レベル２および３のパスワードを含んだキー情報が送信されている。コンテンツは機密レベル情報および再生許可時間情報は含まれていない。コンテンツの再生条件には機密レベル情報および再生許可時間情報は必要ないため、コンテンツを再生する時間および、利用者の機密レベルに係わらず、利用者Ａ、Ｂ、Ｃ共にコンテンツを再生することができる。
【００６１】
１６：００以降は、光信号の情報は送信されていないため、利用者Ａ、Ｂ、Ｃ共にコンテンツを再生することはできない。
【００６２】
以上のように、所定の時間間隔で照明からの光を情報として受信する毎に、受信した情報が、再生条件を満足すればコンテンツを再生することができるので、連続して照明からの光を受け続けられる環境において、再生条件を連続して満足する時にコンテンツを継続して再生することができ、所定の時間間隔に受信した情報が条件を満足しなければコンテンツの再生を停止することができる。
【００６３】
図８Ａ及び図８Ｂは、第５の実施形態におけるコンテンツ処理を示すフローチャートである。
【００６４】
まずステップＳ８０１では、利用者が入力部２０６を用いて再生を行うコンテンツを選択する。ステップＳ８０２では、ステップＳ８０１で選択したコンテンツを再生するための再生条件がコンテンツを記憶するメモリ２０４又はＨＤＤ２０５にあるかどうかをＣＰＵ２０１で判断する。再生条件があるコンテンツであればステップＳ８０４へ進み、再生条件がなければステップＳ８０３へ進む。ステップＳ８０３では、コンテンツを再生するための条件が設定されていないため、コンテンツを再生可能とする。ステップＳ８０４では、光通信部３によって光信号を受信したかをＣＰＵ２０１で判定する。光信号を受信すればステップＳ８０５へ進み、光信号を受信できなければステップＳ８０４へ戻る。
【００６５】
なお、ステップＳ８０２とステップＳ８０３の間で、上記第２の実施形態のステップＳ４０４ように、キー情報を送信要求するようにしても良い。
【００６６】
ステップＳ８０５では、コンテンツを再生するための条件に再生許可時間情報があるかどうかをＣＰＵ２０１で判断する。再生許可時間情報があるコンテンツであればステップＳ８０６へ進み、再生許可時間情報がなければステップＳ８０７へ進む。ステップＳ８０６では、ステップＳ８０４で受信した情報に含まれる現在時刻情報と、予めコンテンツに設定されている再生許可時間情報とを時刻情報判定部（ＣＰＵ２０１）で判断する。現在時刻情報が、再生許可時間情報の再生許可条件を満たしていると判定されると、ステップＳ８０７に進む。再生条件を満たしていないと判断されればステップＳ８０４へ戻る。ステップＳ８０７では、ステップＳ８０４で受信した情報に含まれる時刻情報以外のキー情報と、予めコンテンツに設定されているパスワードなどの時刻情報以外の再生条件を再生条件判定部（ＣＰＵ２０１）で判断する。再生条件を満たしていると判定されると、ステップＳ８０８に進む。再生条件を満たしていないと判断されればステップＳ８０４へ戻る。ステップＳ８０８では、コンテンツを再生可能にし、ステップＳ８０９へ進む。
【００６７】
ステップＳ８０９では、再生可能な時間をカウントするためのカウンター（図示なし）の値をＣＰＵ２０１がクリアし、ステップＳ８１０へ進む。ステップＳ８１０では、光通信部３によって光信号を受信したかをＣＰＵ２０１で判定する。光信号を受信すればステップＳ８１１へ進み、光信号を受信できなければステップＳ８１４へ進む。ステップＳ８１１では、コンテンツを再生するための条件に再生許可時間情報があるかどうかをＣＰＵ２０１で判断する。再生許可時間情報があるコンテンツであればステップＳ８１２へ進み、再生許可時間情報がなければステップＳ８１３へ進む。ステップＳ８１２では、ステップＳ８１０で受信した情報に含まれる現在時刻情報と、予めコンテンツに設定されている再生許可時間情報とを時刻情報判定部で判断する。現在時刻情報が、再生許可時間情報の再生許可条件を満たしていると判定されると、ステップＳ８１３に進む。再生条件を満たしていないと判断されればステップＳ８１４へ進む。ステップＳ８１３では、ステップＳ８１０で受信した情報に含まれる時刻情報以外のキー情報と、予めコンテンツに設定されているパスワードなどの時刻情報以外の再生条件を再生条件判定部で判断する。再生条件を満たしていると判定されると、ステップＳ８０８に戻る。再生条件を満たしていないと判断されればステップＳ８１４へ進む。
【００６８】
ステップＳ８１４では、再生可能な時間をカウントするためのカウンターの値をＣＰＵ２０１がカウントアップし、ステップＳ８１５へ進む。ステップＳ８１５では、再生可能な時間をカウントするためのカウンターの値と予め設定しているコンテンツの再生可能時間をＣＰＵ２０１で比較し、カウンター値が再生可能時間を超えていればステップＳ８１６へ進み、カウンター値が再生可能時間を超えていなければステップＳ８１０へ進む。ステップＳ８１６では、コンテンツの再生を停止し、ステップＳ８０９へ進む。
【００６９】
次に本実施形態の具体例について説明する。
具体例２で再生するコンテンツは、機密レベル情報は含まず、１０：００から１５：００迄再生可能である再生許可時間情報を含む再生条件を持つコンテンツの具体例である。
【００７０】
図９の例１は、光信号からの情報には、機密レベル情報および現在時刻情報は含まれていない。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００７１】
９：００迄は、光信号の情報は送信されていないため、利用者Ａ、Ｂ、Ｃ共にコンテンツを再生することはできない。
【００７２】
９：００から１６：００迄は、光信号の情報は機密レベル情報および現在時刻情報を含まないキー情報が送信されている。コンテンツは機密レベル情報を含まず、１０：００から１５：００迄再生可能である再生許可時間情報を含んでいる。このため、コンテンツの再生許可時間を判定するための現在時刻情報を得ることができず、利用者Ａ、Ｂ、Ｃ共にコンテンツを再生することができない。
【００７３】
１６：００以降は、光信号の情報は送信されていないため、利用者Ａ、Ｂ、Ｃ共にコンテンツを再生することはできない。
【００７４】
図９の例２は、光信号からの情報には、機密レベル情報は含まれてなく、現在時刻情報は含まれている。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００７５】
９：００迄は、光信号の情報は送信されていないため、利用者Ａ、Ｂ、Ｃ共にコンテンツを再生することはできない。
【００７６】
９：００から１６：００迄は、光信号の情報は現在時刻情報を含んだキー情報が送信されている。コンテンツは機密レベル情報を含まず、１０：００から１５：００迄再生可能である再生許可時間情報を含んでいる。このため、１０：００から１５：００迄はコンテンツの再生許可時間情報と光信号の現在時刻情報を比較し、再生許可時間であるため再生可能であると判定することができるので、利用者Ａ、Ｂ、Ｃ共にコンテンツを再生することができる。また、９：００から１０：００迄および１５：００から１６：００迄はコンテンツの再生許可時間情報と光信号の現在時刻情報を比較し、再生許可時間ではないため再生不可であると判定することができるので、利用者Ａ、Ｂ、Ｃ共にコンテンツを再生することができない。
【００７７】
１６：００以降は、光信号の情報は送信されていないため、利用者Ａ、Ｂ、Ｃ共にコンテンツを再生することはできない。
【００７８】
図９の例３は、光信号からの情報には、機密レベル２および３のパスワードが含まれており、現在時刻情報は含まれていない。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００７９】
９：００迄は、光信号の情報は送信されていないため、利用者Ａ、Ｂ、Ｃ共にコンテンツを再生することはできない。
【００８０】
９：００から１６：００迄は、光信号の情報は機密レベル２および３のパスワードを含んだキー情報が送信されている。コンテンツは機密レベル情報を含まず、１０：００から１５：００迄再生可能である再生許可時間情報を含んでいる。このため、コンテンツの再生許可時間を判定するための現在時刻情報を得ることができず、利用者Ａ、Ｂ、Ｃ共にコンテンツを再生することができない。
【００８１】
１６：００以降は、光信号の情報は送信されていないため、利用者Ａ、Ｂ、Ｃ共にコンテンツを再生することはできない。
【００８２】
以上のように、照明からの光を受けられる環境において、コンテンツの再生を許可する時間を設定することができるので、照明からの光を受け続けられる環境において、時間情報を含めた再生条件を満足する時にコンテンツを継続して再生することができ、所定の時間間隔に受信した情報が条件を満足しなければコンテンツの再生を停止することができる。
【００８３】
なお、第５の実施形態では、受信信号に含まれるキー情報が、コンテンツの再生条件を満足するか否かを、再生条件判定部で判定するものについて説明したが、上記第３，４の実施形態のようなものについても適用可能である。すなわち、上記第３，４の実施形態のように、暗号化されたコンテンツを、受信信号に含まれる復号鍵を用いて、復号部で復号するものについても、同様に、時刻情報判定部を用いて、受信信号に含まれる現在時刻情報とコンテンツに含まれる再生許可時間情報とを比較して、コンテンツの再生が許可される時間であるか否かを判定するようにしても良い。
【００８４】
図１０Ａ及び図１０Ｂは、第６の実施形態におけるコンテンツ処理を示すフローチャートである。
【００８５】
まずステップＳ１００１では、利用者が入力部２０６を用いて再生を行うコンテンツを選択する。ステップＳ１００２では、ステップＳ１００１で選択したコンテンツを再生するための再生条件がコンテンツを記憶するメモリ２０４又はＨＤＤ２０５にあるかどうかをＣＰＵ２０１で判断する。再生条件があるコンテンツであればステップＳ１００４へ進み、再生条件がなければステップＳ１００３へ進む。ステップＳ１００３では、コンテンツを再生するための条件が設定されていないため、コンテンツを再生可能とする。ステップＳ１００４では、光通信部３によって光信号を受信したかをＣＰＵ２０１で判定する。光信号を受信すればステップＳ１００５へ進み、光信号を受信できなければステップＳ１００４へ戻る。
【００８６】
なお、ステップＳ１００２とステップＳ１００３の間で、上記第２の実施形態のステップＳ４０４ように、キー情報を送信要求するようにしても良い。
【００８７】
ステップＳ１００５では、コンテンツを再生するための条件に機密レベルに応じたパスワードが設定されているかどうかをＣＰＵ２０１で判断する。機密レベルに応じたパスワードが設定されているコンテンツであればステップＳ１００６へ進み、機密レベルに応じたパスワードが設定されていないコンテンツであればステップＳ１０１０へ進む。ステップＳ１００６では、利用者が認証入力部４にて入力した指紋などの識別情報を取り込む。ステップＳ１００７では、ステップＳ１００６で取り込んだ利用者の識別情報とＨＤＤ２０５や、ＬＡＮ  Ｉ／Ｆ２０７にて接続される外部のサーバに格納されている利用者の識別情報とをＣＰＵ２０１で比較し、利用者の機密レベルを認証部（ＣＰＵ２０１）で認証する。ステップＳ１００８では、ステップＳ１００７で認証した機密レベルに応じたパスワードを、ステップＳ１００４で受信した情報からアクセス権判定部（ＣＰＵ２０１）に取り込む。
【００８８】
ステップＳ１００９では、コンテンツに設定されている機密レベルに応じたパスワードと、ステップＳ１００８で取り込んだパスワードをアクセス権判定部で比較し、コンテンツを再生できるかを判定する。パスワードが一致すればステップＳ１０１０へ進む。パスワードが一致しなければステップＳ１００４へ戻る。ステップＳ１０１０では、ステップＳ１００４で受信した情報に含まれる機密レベル以外のキー情報と、予めコンテンツに設定されている機密レベル以外のパスワードなどの再生条件を再生条件判定部（ＣＰＵ２０１）で判断する。再生条件を満たしていると判定されると、ステップＳ１０１１に進む。再生条件を満たしていないと判断されればステップＳ１００４へ戻る。ステップＳ１０１１では、コンテンツを再生可能にし、ステップＳ１０１２へ進む。
【００８９】
ステップＳ１０１２では、再生可能な時間をカウントするためのカウンター（図示なし）の値をＣＰＵ２０１がクリアし、ステップＳ１０１３へ進む。ステップＳ１０１３では、光通信部３によって光信号を受信したかをＣＰＵ２０１で判定する。光信号を受信すればステップＳ１０１４へ進み、光信号を受信できなければステップＳ１０１８へ進む。ステップＳ１０１４では、コンテンツを再生するための条件に機密レベルに応じたパスワードが設定されているかどうかをＣＰＵ２０１で判断する。機密レベルに応じたパスワードが設定されているコンテンツであればステップＳ１０１５へ進み、機密レベルに応じたパスワードが設定されていないコンテンツであればステップＳ１０１７へ進む。ステップＳ１０１５では、ステップＳ１００７で認証した機密レベルに応じたパスワードを、ステップＳ１０１３で受信した情報からアクセス権判定部に取り込む。ステップＳ１０１６では、コンテンツに設定されている機密レベルに応じたパスワードと、ステップＳ１０１５で取り込んだパスワードをアクセス権判定部で比較し、コンテンツを再生できるかを判定する。パスワードが一致すればステップＳ１０１７へ進む。パスワードが一致しなければステップＳ１０１８へ進む。ステップＳ１０１７では、ステップＳ１０１３で受信した情報に含まれる機密レベル以外のキー情報と、予めコンテンツに設定されている機密レベル以外のパスワードなどの再生条件を再生条件判定部で判断する。再生条件を満たしていると判定されると、ステップＳ１０１１に進む。再生条件を満たしていないと判断されればステップＳ１０１８へ進む。
【００９０】
ステップＳ１０１８では、再生可能な時間をカウントするためのカウンターの値をカウントアップし、ステップＳ１０１９へ進む。ステップＳ１０１９では、再生可能な時間をカウントするためのカウンターの値と予め設定しているコンテンツの再生可能時間を比較し、カウンター値が再生可能時間を超えていればステップＳ１０２０へ進み、カウンター値が再生可能時間を超えていなければステップＳ１０１３へ進む。ステップＳ１０２０では、コンテンツの再生を停止し、ステップＳ１０１２へ進む。
【００９１】
次に本実施形態の具体例について説明する。
具体例３で再生するコンテンツは、機密レベル２のパスワードの機密レベル情報を含み、再生許可時間情報は含まない再生条件を持つコンテンツの具体例である。
【００９２】
図１１の例１は、光信号からの情報には、機密レベル情報および現在時刻情報は含まれていない。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００９３】
９：００迄は、光信号の情報は送信されていないため、利用者Ａ、Ｂ、Ｃ共にコンテンツを再生することはできない。
【００９４】
９：００から１６：００迄は、光信号の情報は機密レベル情報および現在時刻情報を含まないキー情報が送信されている。コンテンツは機密レベル２のパスワードの機密レベル情報を含み、再生許可時間情報は含まない。このため、コンテンツの機密レベル情報を判定するためのパスワードを光信号の情報から得ることができず、利用者Ａ、Ｂ、Ｃ共にコンテンツを再生することができない。
【００９５】
１６：００以降は、光信号の情報は送信されていないため、利用者Ａ、Ｂ、Ｃ共にコンテンツを再生することはできない。
【００９６】
図１１の例２は、光信号からの情報には、機密レベル情報は含まれてなく、現在時刻情報は含まれている。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【００９７】
９：００迄は、光信号の情報は送信されていないため、利用者Ａ、Ｂ、Ｃ共にコンテンツを再生することはできない。
【００９８】
９：００から１６：００迄は、光信号の情報は現在時刻情報を含んだキー情報が送信されている。コンテンツは機密レベル２のパスワードの機密レベル情報を含み、再生許可時間情報は含まない。このため、コンテンツの機密レベル情報を判定するためのパスワードを光信号の情報から得ることができず、利用者Ａ、Ｂ、Ｃ共にコンテンツを再生することができない。
【００９９】
１６：００以降は、光信号の情報は送信されていないため、利用者Ａ、Ｂ、Ｃ共にコンテンツを再生することはできない。
【０１００】
図１１の例３は、光信号からの情報には、機密レベル２のパスワードが含まれており、現在時刻情報は含まれていない。また、利用者の機密レベルは、利用者Ａは、機密レベル１から３迄のコンテンツを利用することが可能であり、利用者Ｂは、機密レベル１から２迄のコンテンツを利用することが可能であり、利用者Ｃは、機密レベル１のコンテンツを利用することが可能である条件での例である。
【０１０１】
９：００迄は、光信号の情報は送信されていないため、利用者Ａ、Ｂ、Ｃ共にコンテンツを再生することはできない。
【０１０２】
９：００から１６：００迄は、光信号の情報は機密レベル２のパスワードを含んだキー情報が送信されている。コンテンツは機密レベル２のパスワードの機密レベル情報を含み、再生許可時間情報は含まない。このため、光信号からの情報の機密レベル２のパスワードと、コンテンツの機密レベル２のパスワードが一致し、機密レベル２の利用者はコンテンツを再生することができる。すなわち、機密レベル１から３迄のコンテンツを利用することが可能である利用者Ａと、機密レベル１から２迄のコンテンツを利用することが可能である利用者Ｂはコンテンツを再生することができ、機密レベル１のコンテンツを利用することが可能である利用者Ｃはコンテンツを再生することができない。
【０１０３】
１６：００以降は、光信号の情報は送信されていないため、利用者Ａ、Ｂ、Ｃ共にコンテンツを再生することはできない。
【０１０４】
以上のように、照明からの光を受けられる環境において、予め設定している利用者の機密レベルに応じて、コンテンツの再生を許可することができので、照明からの光を受け続けられる環境において、機密レベル情報を含めた再生条件を満足する時にコンテンツを継続して再生することができ、所定の時間間隔に受信した情報が条件を満足しなければコンテンツの再生を停止することができる。
【０１０５】
なお、第６の実施形態においても、上記第５の実施形態と同様に、時刻情報判定部を用いて、受信信号に含まれる現在時刻情報とコンテンツに含まれる再生許可時間情報とを比較して、コンテンツの再生が許可される時間であるか否かを判定するようにしても良い。
【０１０６】
また、第６の実施形態では、受信信号に含まれるキー情報が、コンテンツの再生条件を満足するか否かを、再生条件判定部で判定するものについて説明したが、上記第３，４の実施形態のようなものについても適用可能である。すなわち、上記第３，４の実施形態のように、暗号化されたコンテンツを、受信信号に含まれる復号鍵を用いて、復号部で復号するものについても、同様に、認証入力部で入力された利用者の識別情報と登録されている識別情報とを、認証部で比較して利用者の機密レベルを認証し、アクセス権判定部を用いて、受信信号に含まれるパスワード情報から認証部で認証された機密レベルに応じてパルワードを取り込んで、機密レベルに応じてコンテンツに設定されたパスワードとを比較して、コンテンツの再生が可能であるか否かを判定するようにしても良い。
【０１０７】
ここで、コンテンツが再生可能な空間（場所）を制限できることについて説明する。上記実施形態はいずれも、キー情報又は復号鍵を含む信号の通信に光通信を用いる。このような光信号であれば、ガラス窓のない部屋など、光を遮断できれば受信場所を制限できるので、コンテンツ再生可能な空間を容易に制限することができる。つまり、例えば、ガラス窓のない部屋ではコンテンツの再生が可能だが、外に光信号が漏洩しなければ、その部屋から出て、設定された再生可能時間を超えると、コンテンツの再生が停止されることになる。このようにして、コンテンツが再生可能な空間（場所）を制限できる。
【０１０８】
なお、コンテンツの再生可能な空間を制限するのに光信号を用いるのが好ましいが、これ以外にも、例えば電波を用いた無線通信などのワイヤレス通信を用いることもできる。電波を用いた無線通信の場合には、例えば、電波をシールドする電磁シールドルームを形成すれば、コンテンツ再生可能な空間をそのシールドルーム内に制限することができる。すなわち、信号を遮断できる空間を形成して、外部に信号が漏洩しないようにできれば、コンテンツを再生する空間を制限できる。
【０１０９】
なお、上記各実施形態において、上述した一連の処理を実行するためのプログラムとして、ＨＤＤ２０５に記憶されたものを用いたが、このプログラムはＣＤ、ＤＶＤ、フレキシブルディスク、光磁気ディスク、ＲＯＭ、メモリカードのようなフラッシュメモリなど、様々なタイプの記録媒体に記録可能なものであり、またインターネット等の電気通信回線や無線通信回線、光通信回線を通じてダウンロードして記録可能なものである。
【０１１０】
また、上記各実施形態において、上述した一連のコンテンツとして、メモリ２０４に記憶されたものを用いたが、このコンテンツはＨＤＤ２０５や、ＣＤ、ＤＶＤ、フレキシブルディスク、光磁気ディスク、ＲＯＭ、メモリカードのようなフラッシュメモリなど、様々なタイプの記録媒体に記録可能なものであり、またインターネット等の電気通信回線や無線通信回線、光通信回線を通じてダウンロードして記録可能なものである。
【０１１１】
また、コンテンツは、光通信部３やＬＡＮ  Ｉ／Ｆ２０７から供給されても良く、またストリーミング再生するものでも構わない。
【図面の簡単な説明】
【０１１２】
【図１】本発明の第１の実施形態の構成例を示す図である。
【図２】本発明の第１の実施形態の構成を示すブロック図である。
【図３】第１の実施形態における再生処理を示すフローチャートである。
【図４】第２の実施形態における再生処理を示すフローチャートである。
【図５】第３の実施形態における再生処理を示すフローチャートである。
【図６】第４の実施形態における再生処理を示すフローチャートである。
【図７】第１の実施形態における再生処理タイムチャートである。
【図８Ａ】第５の実施形態における再生処理を示すフローチャートである。
【図８Ｂ】第５の実施形態における再生処理を示すフローチャートである。
【図９】第５の実施形態における再生処理タイムチャートである。
【図１０Ａ】第６の実施形態における再生処理を示すフローチャートである。
【図１０Ｂ】第６の実施形態における再生処理を示すフローチャートである。
【図１１】第６の実施形態における再生処理タイムチャートである。
【符号の説明】
【０１１３】
１  光通信装置
２  情報処理装置
３  受信部
４  認証入力部
２０１  （中央演算処理装置）
２０２  表示部
２０３  音声出力部
２０４  メモリ
２０５  ハードディスクドライブ（ＨＤＤ）
２０６  入力部
２０７  ＬＡＮ  Ｉ／Ｆ（Local Area Network Interface）
【図１】
2007081969.tif 000003
【図２】
2007081969.tif 000004
【図３】
2007081969.tif 000005
【図４】
2007081969.tif 000006
【図５】
2007081969.tif 000007
【図６】
2007081969.tif 000008
【図７】
2007081969.tif 000009
【図８Ａ】
2007081969.tif 000010
【図８Ｂ】
2007081969.tif 000011
【図９】
2007081969.tif 000012
【図１０Ａ】
2007081969.tif 000013
【図１０Ｂ】
2007081969.tif 000014
【図１１】
2007081969.tif 000015